(57)【要約】【課題】  電子式表示により走行距離を表示するに際して、走行距離に応じて数字をアニメーション（動画）表示させる。【解決手段】  メータ内の距離計の数値表示をドットマトリクス表示板で行うとき、最小桁の数字を、走行距離が所定値増加するたびに、文字表示領域内で上方へ所定ドット数分平行移動させて表示する。これにより、特定数値への表示変化を徐々に行って、到達感を車両乗員に与えることができる。【選択図】        図７
2006220594.tif 000002
【特許請求の範囲】
【請求項１】
車両に搭載され、前記車両の走行距離を表示する車載表示装置であって、
前記車両の走行に応じた走行距離値情報を取得する手段（Ｓ１００）と、
複数の文字表示領域（３００）を備え、前記複数の文字表示領域のうち少なくとも１つの文字表示領域がドットマトリクス表示部により形成された表示手段（３０、３０ａ、３０ｂ）と、
前記取得された走行距離値を前記表示手段に数字表示するための表示数値に変換し、前記表示数値の少なくとも１つの桁の数字を前記ドットマトリクス表示部に割り当てて前記表示数値を前記表示手段の各文字表示領域に数字表示させるとともに、前記ドットマトリクス表示部で表示される桁の数字を、前記取得される走行距離値が所定の距離増加量分増加する度に、前記ドットマトリクス表示部における所定の方向へ移動ドット数分順次平行移動させて動画表示する表示制御手段（Ｓ１５０）と、
を備えることを特徴とする車載表示装置。
【請求項２】
前記ドットマトリクス表示部において、前記動画表示される先行する数字の前記移動方向と反対側には、前記先行する数字より１大きい後続の数字が所定ドット数隔てられて前記先行する数値とともに、前記走行距離値の増加に応じて平行移動表示されることを特徴とする請求項１に記載の車載表示装置。
【請求項３】
前記動画表示される数字の前記表示数値における桁位置は、前記表示手段で表示される前記表示数値の最小桁であることを特徴とする請求項１または２に記載の車載表示装置。
【請求項４】
前記取得される走行距離値が１００ｍ増加する毎に、前記最小桁の動画表示される数字の表示切り替わりが完了することを特徴とする請求項３に記載の車載表示装置。
【請求項５】
前記動画表示される数字が前記最小桁以外の桁である場合、前記取得される走行距離値が１００ｍ増加する間に、前記最小桁の表示切り替わりに同期して桁上がりのための平行移動表示が開始されて終了することを特徴とする請求項４に記載の車載表示装置。
【発明の詳細な説明】
【技術分野】
【０００１】
本発明は、車載表示装置に関し、特に車両の走行距離を表示するオドメータやトリップメータに用いられて好適である。
【背景技術】
【０００２】
近年、車両のメータ内で走行距離を表示する媒体は、従来のドラムが回転する機械式から、ＬＣＤ（液晶表示装置）やＬＥＤ（発光ダイオード）などによる電子式表示へと代わってきている。さらに、電子式表示は、一つの文字をセグメントを切り分けたセグメント表示盤で表示するものや、ドットの並びにより表示するドット表示によるものがある。
【０００３】
従来の電子式表示装置では、表示内容の変化（数値の変化やメッセージの変化）は、２つの表示の切り替えにより、瞬時に行うものであった（例えば、特許文献１参照）。
【特許文献１】特開２０００−３３５２７８号公報
【発明の開示】
【発明が解決しようとする課題】
【０００４】
しかし、従来の電子式表示装置では、表示を瞬時に切り替えるものであるので、乗員が車両前方と表示装置とを短時間に視線変化させるとき、表示装置に表示された内容が切り替わったかどうかを瞬時に判別することが困難な場合があった。すなわち、人間は変化の途中の状態を認識することで状態変化を短時間に識別する特性があるからである。
【０００５】
さらに、表示内容が瞬時に切り替わるので、乗員に表示内容の変化を認識しているという実感を与えることができない。特に、電子式表示による走行距離表示では、従来の機械式表示では通常行われていた、走行距離変化に応じて数字が徐々に変化（動的変化）して特定の数値に到達するという高揚感を乗員に与えることができない。
【０００６】
本発明は、上記点に鑑み、電子式表示により走行距離を表示するに際して、走行距離に応じて数字をアニメーション（動画）表示させることを目的とする。
【課題を解決するための手段】
【０００７】
上記目的を達成するため、請求項１に記載の発明では、車両に搭載され、車両の走行距離を表示する車載表示装置であって、車両の走行に応じた走行距離値情報を取得する手段（Ｓ１００）と、複数の文字表示領域（３００）を備え、複数の文字表示領域のうち少なくとも１つの文字表示領域がドットマトリクス表示部により形成された表示手段（３０、３０ａ、３０ｂ）と、取得された走行距離値を表示手段に数字表示するための表示数値に変換し、表示数値の少なくとも１つの桁の数字をドットマトリクス表示部に割り当てて表示数値を表示手段の各文字表示領域に数字表示させるとともに、ドットマトリクス表示部で表示される桁の数字を、取得される走行距離値が所定の距離増加量分増加する度に、ドットマトリクス表示部における所定の方向へ移動ドット数分順次平行移動させて表示する表示制御手段（Ｓ１５０）と、を備えることを特徴とする。
【０００８】
この発明によれば、走行距離が所定の距離増加量分増加する度に、ドットマトリクス表示部で表示する走行距離の数字の少なくとも１つをマトリクス表示部内で所定方向に徐々に平行移動させることにより、乗員に走行距離値の特定数値への到達過程を積極的に表示して、乗員に高揚感や喜びを与えることができる。
【０００９】
なお、請求項２に記載のように、ドットマトリクス表示部において、動画表示される先行する数字の移動方向と反対側には、先行する数字より１大きい後続の数字が所定ドット数隔てられて先行する数字とともに、走行距離値の増加に応じて平行移動表示することができる。
【００１０】
また、請求項３に記載のように、動画表示される数字の表示数値における桁位置は、表示手段で表示される表示数値の最小桁とすることにより、平行移動表示の発生頻度を高めることができる。
【００１１】
なお、請求項４に記載のように、取得される走行距離値が１００ｍ増加する毎に、最小桁の動画表示される数字の表示切り替わりを完了させることができる。
【００１２】
さらに、請求項５に記載のように、動画表示される数字が最小桁以外の桁である場合、取得される走行距離値が１００ｍ増加する間に、最小桁の表示切り替わりに同期して桁上がりのための平行移動表示を開始し終了させることができる。
【００１３】
なお、上記各手段の括弧内の符号は、後述する実施形態に記載の具体的手段との対応関係を示すものである。
【発明を実施するための最良の形態】
【００１４】
以下、本発明の実施形態について図面を参照して説明する。図１は、本実施形態の車載表示装置を備えたコンビネーションメータの外観図である。
【００１５】
このコンビネーションメータは、車両の車室内のインストルメントパネル（図示せず）に配設されており、図１にて示すごとく、計器板１０並びに計器板１０に配設した車速計２０、走行距離表示部３０、インジケータ４０及び回転計５０を備えている。
【００１６】
車速計２０は、計器板１０の図１にて図示左側部に形成された目盛り盤２０ａと、計器板１０の裏面側にて目盛り盤２０ａに対応する位置に設けた回動内機（図示せず）と、指針２０ｂとを備えている。
【００１７】
指針２０ｂは、上記回動内機の駆動部から目盛り盤２０ａを通り延出する指針軸の先端部に支持されて、この指針軸の回動に伴い、目盛り盤２０ａの表面に沿い回動するようになっている。
【００１８】
ドットマトリクス表示部３０は、目盛り盤２０ａの下部に埋め込まれた区間距離を表示するトリップメータとしてのドットマトリクス表示板３０ａと、積算距離を表示するオドメータとしてのドットマトリクス表示板３０ｂとを備えている。さらに、計器板１０の裏面側にてドットマトリクス表示板３０ａ、３０ｂに対応する位置にはドットマトリクス表示部３０の表示を制御する表示制御部３１が設けられている。
【００１９】
なお、計器板１０には操作スイッチ３０ｃが設けられ、この操作スイッチ３０ｃの切り換え操作により、トリップメータであるドットマトリクス表示板３０ａの表示数値を「０００．０」にリセットするようになっている。
【００２０】
ここで、ドットマトリクス表示板３０ａ、３０ｂはそれぞれ、トリップメータ表示のための４桁の数値表示（例えば、「１２３．４」）および積算距離（オドメータ）表示のための６桁の数値表示（例えば、「１２３４５６」を行えるように構成されている。そして、各桁の文字表示領域３００はそれぞれ、ドット３０１が縦×横＝２０×１０のマトリクス状に配列され、各ドットの点灯制御により文字表示領域に数字等の文字が表示されるようになっている。なお、図２には、積算距離計（オドメータ）としてのドットマトリクス表示板３０ｂの４桁の文字表示領域３００にそれぞれ、数字が表示されている例（１１１１１ｋｍと表示）を示している。図中、点灯されているドットを黒塗りで表している。
【００２１】
制御表示手段としての表示制御部３１は、マイクロコンピュータにより構成され、図３に示すように、車両の速度を検出する車速センサ６０およびドットマトリクス表示部３０と接続されている。表示制御部３１は、車速センサからの車速に応じた信号を入力し、信号処理を行って走行距離値に変換する。
【００２２】
さらに、表示制御部３１は、走行距離値をドットマトリクス表示部３０のドットマトリクス表示板３０ａ、３０ｂの各桁に表示すべき数字（表示数値）に変換する。
【００２３】
そして、表示制御部３１は、表示数値に基づき、ドットマトリクス表示板３０ａ、３０ｂにおける各桁の文字表示領域に、それぞれ割り当てられた数字を表示させる。なお、ドットマトリクス表示板３０ａ、３０ｂの表示数値は、イグニッションスイッチがオフ状態でも、あるいは電源が供給されない状態でも、数値データが表示制御部３１の内部に記憶されている。
【００２４】
次に、制御表示部３１の作動について、説明する。図４は、制御表示部３１のマイクロコンピュータによって実行される制御ルーチンを示すフローチャートである。なお、図４の制御ルーチンは、車両のイグニッションスイッチがオンされると同時に処理が開始される。また、以下では、区間距離を表示するトリップメータとしてのドットマトリクス表示板３０ａの作動について説明する。
【００２５】
ステップＳ１００で、車速センサ６０からの車速信号に基づき表示制御部３１内で算出された走行距離値を取得する。
【００２６】
次のステップＳ１１０で、走行距離値からドットマトリクス表示板３０ａの各桁の文字表領域に表示すべき表示データ（数字）を決定する。具体的には、トリップメータ表示の場合、表示される桁のうち最小位の桁（最下位桁）より下位の数値である、小数第２位以下を切り捨てた数値が表示数値となる。例えば、走行距離値が１００．０５７ｋｍであった場合は、表示数値は１００．０ｋｍとなる。
【００２７】
ステップＳ１２０で、表示数値の各桁の数字が、動画表示桁か否かを判定する。動画表示桁でない桁の場合にはステップＳ１３０へ、動画表示桁の場合にはステップＳ１４０へ移行する。具体的には、本実施形態では動画表示桁は、トリップメータ表示の最下位桁である小数第１位の桁である。
【００２８】
ステップＳ１３０では、動画表示桁でないと判定された各桁（本例では、１００の位、１０の位および１の位である）の表示数値を表す数字をそれぞれ、文字表示領域３００の通常位置に表示する通常表示データとして作成する。
【００２９】
ステップＳ１４０では、動画表示桁と判定された桁の数字ａをアニメーション表示するためのデータを作成する。具体的には、図５に示すルーチンにしたがって作成される。まず、上記ステップＳ１００で取得された走行距離値（ｋｍ）の小数第２位および第３位の数字で表される数値ｘ（ｍ）が、０≦ｘ≦１９の範囲の数値であれば（Ｓ２００）、数字ａを画面０のデータとして作成し（Ｓ２１０）、このサブルーチンを抜ける。
【００３０】
画面０のデータとは、上記通常表示データと同じであり、表示数字が文字表示領域３００の通常位置に、すなわち文字が文字表示領域３００から欠けることなく正常に配置されて表示されるものである。
【００３１】
Ｓ２００で、数値ｘが０≦ｘ≦１９の範囲内でなければ、次にステップＳ２２０で、数値ｘが２０≦ｘ≦３９の範囲の数値か否かが判定され、判定結果がＹＥＳであれば、ステップＳ２３０にて、数字ａを画面１のデータとして作成し（Ｓ２３０）、このサブルーチンを抜ける。
【００３２】
画面１のデータとは、数字ａを文字表示領域の上方へ所定ドット数（本例の場合は４ドット）平行移動させて表示するものである。したがって、数字ａの上辺は文字表示領域から欠けて表示される。さらに表示すべき数字ａの移動方向（本例の場合は、上方）と反対側には、表示すべき数字ａより１大きい数字が後続の数字として、所定ドット数（本例の場合、２ドット）隔てられて後続の数字の上辺部分のみが表示される。
【００３３】
このように、画面１のデータは、画面０のデータより、上方へ所定ドット（４ドット）平行移動させた状態を表示するものである。
【００３４】
以下、ステップＳ２４０ないしＳ２９０において、同様に、数値ｘの大きさが２０ｍ毎に設定された範囲のどれに属するかを判定し、その大きさに応じた動画表示データを作成する。
【００３５】
すなわち、４０≦ｘ≦５９の場合は、画面２のデータ、すなわち、画面１のデータより上方に所定ドット（４ドット）平行移動させた状態として表示するデータを作成する（Ｓ２４０、Ｓ２５０）。
【００３６】
６０≦ｘ≦７９の場合は、画面３のデータ、すなわち、画面２のデータより上方に所定ドット（４ドット）平行移動させた状態として表示するデータを作成する（Ｓ２６０、Ｓ２７０）。
【００３７】
８０≦ｘ≦９９の場合は、画面４のデータ、すなわち、画面３のデータより上方に所定ドット（４ドット）平行移動させた状態として表示するデータを作成する（Ｓ２８０、Ｓ２９０）。
【００３８】
以上のように、取得された走行距離値の小数第２位および第３位の数字があらわす数値ｘの大きさに応じて、動画表示桁である小数第１位の数字ａを文字表示領域内の上下方向のいずれの位置に配置するかを決める画面０ないし画面４のデータが作成される。
【００３９】
そして、ステップＳ１５０で、上記Ｓ１３０で作成された動画表示桁以外の桁の通常表示データと、Ｓ１４０で作成された動画表示桁の動画表示データとをそれぞれの桁の文字表示領域に割り当てて各数字を表示する。
【００４０】
以上の処理手順により動画表示されるドットマトリクス表示板３０ａにおけるトリップメータ表示の例を示す。図６（ａ）は、車両走行中のある時点での表示数字「１００．０（ｋｍ）」が通常表示されている状態を表している。図６（ｂ）は、図６（ａ）の状態から約１００ｍ走行後における表示数字「１００．１（ｋｍ）」が通常表示されている状態を表している。
【００４１】
ここで、トリップメータでの動画表示桁はドットマトリクス表示板３０ａの最下位桁である小数第１位の桁である。また、動画のための画面データを作成するのに必要な距離値の大きさを判定するための数値ｘは動画表示桁の１／１００までの数値である小数第２位および第３位の数字で表される２桁の数値（単位：ｍ）である。
【００４２】
また、図７（ａ）〜（ｆ）には、順に、数字「０」の画面０、画面１、画面２、画面３、画面４、および数字「１」の画面０の各データの、動画表示桁（小数第１位）の文字表示領域３００における各ドット３０１の点灯（黒塗り）および消灯（白抜き）状態を示している。
【００４３】
図６（ａ）の通常表示状態は、ステップＳ１００で取得された走行距離値が、１００．０００（ｋｍ）〜１００．０１９（ｋｍ）の範囲にある場合（Ｓ２００）に表示される。この状態から、車両走行に伴い走行距離値が増加して、１００．０２０（ｋｍ）〜１００．０３９（ｋｍ）の範囲の大きさになると（Ｓ２２０）、動画表示桁（小数第１位）の文字表示領域３００には、図７（ｂ）に示される画面１のデータが表示される。
【００４４】
この画面１のデータは上記画面０のデータよりも、文字表示領域３００の上方へ４ドット分平行移動させたものとなっており、移動方向とは反対側、すなわち数字「０」の下側には、後続する数字「１」が、２ドット隔てて「１」の上辺部のみ表示されている。
【００４５】
走行距離がさらに増加して、ステップＳ１００で取得された走行距離値が１００．０４０（ｋｍ）〜１００．０５９（ｋｍ）の範囲の大きさになると（Ｓ２４０）、文字表示領域３００には、図７（ｃ）に示される画面２のデータが表示される。
【００４６】
以降、車両走行に伴って、走行距離値が増加するにしたがって、走行距離値が１００．０６０（ｋｍ）〜１００．０７９（ｋｍ）の範囲の大きさでは図７（ｄ）に示される画面３のデータが、１００．０８０（ｋｍ）〜１００．０９９（ｋｍ）の範囲の大きさでは図７（ｅ）に示される画面４のデータがそれぞれ表示される。そして、走行距離値が１００．１００（ｋｍ）〜１００．１１９（ｋｍ）の範囲の大きさに達すると、動画表示桁の数値が１繰り上がり、表示数値は「１００．１」となって、動画表示桁には、図７（ｆ）に示されるように、表示数字「１」の画面０データが表示される。
【００４７】
こうして、走行距離が２０ｍ増加する毎に、トリップメータ表示するドットマトリクス表示板３０ａの最下位桁の数字が、４ドットずつ上方へ移動するように表示されるとともに、その数字の下方には１大きい数字（後続数字）が同一間隔を保って上方へ平行移動する。これにより、動画表示桁としての最下位桁の数字が、車両の走行に伴いゆっくりと上方へ移動するアニメーション表示が行われる。
【００４８】
上記説明では、トリップメータ表示の最下位桁のアニメーション表示を例に説明したが、ドットマトリクス表示板３０ｂでの６桁のオドメータ表示でも同様にアニメーション表示が可能である。以下、走行距離値と表示状態との関係について簡単に説明する。
【００４９】
オドメータ表示では、最下位桁は１（ｋｍ）の単位であるので、走行距離の変化量はその１／１００、すなわち１０ｍ単位で２００ｍを１つの範囲として評価される。
【００５０】
例えば、走行距離値が１００９９．００（ｋｍ）〜１００９９．１９（ｋｍ）の範囲では、ドットマトリクス表示板３０ｂへの表示数値は、最下位桁より小数第１位の桁の数を切り捨てて、「０１００９９」となる。この場合、走行距離の増加に応じて表示状態が変化する動画表示桁は、桁上がりを考慮すると１の位、１０の位、１００の位の３桁である。したがって、走行距離が１００９９．２０（ｋｍ）〜１００９９．３９（ｋｍ）、１００９９．４０（ｋｍ）〜１００９９．５９（ｋｍ）、１００９９．６０（ｋｍ）〜１００９９．７９（ｋｍ）、１００９９．８０（ｋｍ）〜１００９９．９９（ｋｍ）と、走行距離が０．２ｋｍずつ増加するに応じて、３つの動画表示桁の数字が同時に、画面０から画面４へと順次、すなわち、「０９９」から「１００」へと４ドットずつ上方へ平行移動しながら動画表示される。
【００５１】
このように、トリップメータ表示でもオドメータ表示でも、走行距離の増加に応じて少なくとも１つの桁の数字を動画表示することができ、乗員に数字が徐々に変化することによる期待感、高揚感を与えることができる。
【００５２】
さらに、乗員が、表示制御部３１に特定の数値（１１１、７７７、１２０２など）を入力し、この数値がオドメータ表示の数値と一致する場合（厳密には、これらの数値より１少ない距離値に達した場合）にのみ動画表示を行うようにしてもよい。
【００５３】
なお、上記実施形態では、ドットマトリクス表示板３０ａ、３０ｂの１つの文字表示領域のドット数を縦×横＝２０×１０の例で説明したが、このドット数、および配列形態はこれに限らず、アニメーションの表示形態や表示制御部における処理速度との関係により、任意に設定することができる。
【００５４】
さらに、上記実施形態では、動画表示する桁をドットマルチ表示板により数字表示する例を示したが、これに限らず、距離値表示だけでなく種々の表示をおこなえるマルチ表示装置においても、同様に距離値を示す数字を動画表示してもよい。
【００５５】
あるいは、桁上がりに関係なく、動画表示する桁を最下位桁のみに限定してもよい。この場合は、動画表示しない桁の表示板は、ドットマトリクス表示板ではなく、例えばセグメント表示板を用いてもよい。
【００５６】
また、上記実施形態では、動画表示される文字（数字）の文字表示領域における移動方向は上方とした例を示したが、これに限らず、下方や左右方向、さらには、斜め方向のいずれであってもよい。
【００５７】
さらに、動画表示方法として、文字表示領域内を一方向に平行移動させる例を示したが、これに限らず、文字表示領域内で一軸方向回りに文字を回転するよう表示させるような動画表示でもよい。要は、表示形態（文字の形、位置、色、輝度など）が、走行距離の増加、すなわち時間の変化に応じて変化するものであればどのような表示方法でもよい。
【図面の簡単な説明】
【００５８】
【図１】本実施形態の車載表示装置を備えたコンビネーションメータの外観図である。
【図２】オドメータ表示における数値表示の例を示す図である。
【図３】車載表示装置の構成を示すブロック図である。
【図４】制御表示部のマイクロコンピュータによって実行される制御ルーチンを示すフローチャートである。
【図５】動画表示データを作成するルーチンを示すフローチャートである。
【図６】トリップメータ表示の例を示し、（ａ）は一連の動画表示開始時の表示数字であり、（ｂ）は一連の動画表示終了時の表示数字である。
【図７】（ａ）は数字０の画面０のデータ、（ｂ）は数字０の画面１のデータ、（ｃ）は数字０の画面２のデータ、（ｄ）は数字０の画面３のデータ、（ｅ）は数字０の画面４のデータ、および（ｆ）は数字１の画面０のデータをそれぞれ示す。
【符号の説明】
【００５９】
３０…ドットマトリクス表示部、３０ａ…トリップメータ用ドットマトリクス表示板、
３０ｂ…オドメータ用ドットマトリクス表示板、３１…表示制御部、
３００…文字表示領域、３０１…ドット。
【図１】
2006220594.tif 000003
【図２】
2006220594.tif 000004
【図３】
2006220594.tif 000005
【図４】
2006220594.tif 000006
【図５】
2006220594.tif 000007
【図６】
2006220594.tif 000008
【図７】
2006220594.tif 000009